(57)【特許請求の範囲】
【請求項１】
原稿を積載する給紙スタッカと、
読み取り終了後の原稿を積載する排紙スタッカと、
原稿読み取り位置を有する循環パスとを備えた画像形成装置の原稿供給装置において、
前記給紙スタッカから前記循環パスに原稿を供給するための供給パスと、
読み取り終了後の原稿を前記排紙スタッカに排出するための排出パスと、
前記供給パスまたは前記給紙スタッカの下方に配置され原稿をスイッチバックして表裏反転するためのスイッチバックパスと、
前記循環パスと前記スイッチバックパスとの接続部に設けられ、前記原稿読み取り位置を通過した原稿を前記循環パスに案内するための位置と前記スイッチバックパスに案内するための位置に選択的に移動する第１搬送方向切換手段と、
前記循環パスと前記排出パスとの接続部に設けられ、前記スイッチバックパスでスイッチバックされた原稿を前記循環パスに案内するための位置と前記排出パスに案内するための位置に選択的に移動する第２搬送方向切換手段とを備えることを特徴とする原稿供給装置。
【請求項２】
原稿の片面のみを読み取る場合は、前記第１搬送方向切換手段は原稿を前記循環パスへ案内し、前記第２搬送方向切換手段は原稿を前記排出パスへ案内し、
原稿の両面を読み取る場合は、前記第１搬送方向切換手段は原稿を前記スイッチバックパスへ案内し、前記第２搬送方向切換手段は片面読み取り終了後の原稿は前記循環パスへ案内して両面読み取り終了後の原稿は前記排出パスへ案内することを特徴とする請求項１に記載の原稿供給装置。
【請求項３】
前記循環パスは、前記供給パスとの接続部から前記排出パスとの接続部までの第１搬送路と、前記排出パスとの接続部から前記供給パスとの接続部までの第２搬送路とから構成されたことを特徴とする請求項１または２に記載の原稿供給装置。
【請求項４】
前記給紙スタッカ、前記排紙スタッカ、および前記スイッチバックパスは前記読み取り位置に対して同じ側に配置されていることを特徴とする請求項１〜３の何れかに記載の原稿供給装置。
【請求項５】
上から前記給紙スタッカ、前記排紙スタッカ、前記スイッチバックパスの順に積層状に配置されていることを特徴とする請求項１〜４の何れかに記載の原稿供給装置。
【請求項６】
前記スイッチバックパスは前記排紙スタッカの下方の空間に設けられていることを特徴とする請求項５に記載の原稿供給装置。
【請求項７】
前記スイッチバックパスには正逆転可能な可逆転ローラが設けられ、該可逆転ローラの回転方向の切り換えにより原稿をスイッチバックさせることを特徴とする請求項１〜６の何れかに記載の原稿供給装置。
【請求項８】
前記可逆転ローラは一対のローラが離間可能に構成され、原稿が前記循環パスとスイッチバックパスとにまたがる時に離間することを特徴とする請求項７に記載の原稿供給装置。
【請求項９】
前記排出パスには一方向にのみ回転可能な排出ローラが設けられていることを特徴とする請求項１〜８の何れかに記載の原稿供給装置。
【請求項１０】
前記循環パスは一つのフィードローラの外周面に沿って形成されていることを特徴とする請求項１〜９の何れかに記載の原稿供給装置。
【請求項１１】
原稿を積載する給紙スタッカと、
読み取り終了後の原稿を積載する排紙スタッカと、
原稿読み取り位置を有する循環パスとを備えた画像形成装置の原稿供給装置において、
前記給紙スタッカから前記循環パスに原稿を供給するための供給パスと、
前記供給パスまたは前記給紙スタッカの下方に配置され、表面読み取り後の両面原稿および表裏面読み取り後の両面原稿をスイッチバックさせて表裏反転するためのスイッチバックパスと、
前記原稿読み取り位置を通過後に前記排紙スタッカに向かう片面原稿が通り、かつ、表裏面読み取り後のスイッチバック後に前記原稿読み取り位置を経由することなく前記排紙スタッカに向かう両面原稿が通る排出パスとを備えることを特徴とする原稿供給装置。
【請求項１２】
前記排出パスは、前記循環パスに接続され、前記原稿読み取り位置を通過した表面読み取り後の片面原稿と、スイッチバックされた表裏面読み取り後の両面原稿を前記循環パスとの接続部から前記排紙スタッカに案内することを特徴とする請求項１１記載の原稿供給装置。
【請求項１３】
原稿を積載する給紙スタッカと、
読み取り終了後の原稿を積載する排紙スタッカと、
原稿の画像を読み取る原稿読み取り手段と、
該原稿読み取り手段を経由して原稿を案内するための循環パスと、
前記給紙スタッカから前記循環パスへ両面原稿を供給するための供給パスと、
読み取り終了後の原稿を前記排紙スタッカへ排出するための排出パスと、
前記供給パスまたは前記給紙スタッカの下方に配置され原稿をスイッチバックして表裏反転するためのスイッチバックパスと、
前記循環パスと前記スイッチバックパスとの接続部に設けられ、前記読み取り手段を通過した原稿を前記循環パスに案内するための位置と前記スイッチバックパスに案内するための位置に選択的に移動する第１搬送方向切換手段と、
前記循環パスと前記排出パスとの接続部に設けられ、前記スイッチバックパスでスイッチバックされた原稿を前記循環パスに案内するための位置と前記排出パスに案内するための位置に選択的に移動する第２搬送方向切換手段とを備えることを特徴とする画像形成装置。
【発明の詳細な説明】
【０００１】
【発明の属する技術分野】
本発明は、例えば電子写真複写機等の画像形成装置の原稿読取り部に自動的に原稿を供給する原稿供給装置に関し、特に、両面原稿の読み取りを行う原稿供給装置およびこの原稿供給装置を用いた画像形成装置に関する。
【０００２】
【従来の技術】
周知のように、電子写真複写機等の画像形成装置においては、原稿を原稿読取り部に自動的に供給するため、所謂ＡＤＦ（オート・ドキュメント・フィーダ）と称される原稿供給装置が用いられ、近年においては両面に画像を有する両面原稿を処理できる原稿供給装置が望まれるようになってきている。
【０００３】
このため、両面に画像を有する両面原稿を処理できる原稿供給装置が提案されている。例えば特開平７−１７５２７９号公報に開示されている原稿処理機がある。この原稿処理機は２つのモードを備えており、第１モードにおいては、片面の原稿を読み取って直接排紙トレイに完全に排出し、第２モードにおいては、両面原稿の第１面を読み取って排紙トレイに一旦送給し、次に排紙トレイ上に完全に排出せずにスイッチバックして両面送給経路を経て原稿給送経路に再び給送される。そして、第２面を読み取って排紙トレイに送給した後に、両面原稿を排紙トレイ上に順次積載してもページ順序が揃うように第１面を下にして積載するように、再度排紙トレイ上に完全に排出せずにスイッチバックして両面送給経路を経て原稿給送経路に再び送給してから排紙トレイに排出し積載される。従って、排紙トレイの入口の排出と反転を行うローラと、排紙トレイから原稿給送経路に送給する両面送給経路により両面原稿を循環している。また、両面原稿の排出は、前記ローラにより反転され、第２面の読み取り原稿と同様の経路を経て前記ローラにより排紙トレイに排出される。
【０００４】
また、例えば特開平８−１３３５５１号公報（特願平６−２９８８１６号）に開示されているシート搬送装置がある。この技術は、両面原稿の排出において両面原稿を排紙トレイ上に順次積載してもページ順序が揃うように第１面を下にして積載するように排出するために、第２面を読み取った後に排紙トレイ上でない別の個所に設けた他の反転部にて反転（スイッチバック）せしめて排紙トレイに排出するものである。即ち、第２面を読み取るための両面原稿の反転を排紙トレイ上で行っている点では、前記特開平７−１７５２７９号公報と同様の技術である。
【０００５】
【発明が解決しようとする課題】
しかしながら、前記特開平７−１７５２７９号公報の技術での両面原稿の読み取りにおいては、排紙トレイ上にページ順序が揃うように順次積載しようとすると、原稿が原稿読み取り部を３回通過する必要がある。このうち３回目の原稿の通過においては、原稿の読み取りを行わないにも拘らず原稿読み取り部を通過せしめることになっており、このため原稿読み取り部の汚染を引き起こして読み取り画像の不良を発生したり、原稿読み取り部の清掃を頻繁に行う必要がある。また原稿の読み取り部においては、原稿の読み取りが終了すれば次の原稿の読み取りが可能な状態にあるが、原稿を順序よく排紙するために、原稿の読み取りを行わないにも拘らず原稿読み取り部を通過せしめる必要があるため、読み取りが終了しても次の原稿の送給が行えず、原稿の読み取り速度の向上の弊害となっている。更に、原稿を搬送する距離が長くなり、その分原稿を搬送する時間が長くなるために画像形成の生産性が低くなったり、搬送時に加わる圧力や摩擦による原稿のダメージが大きくなるという欠点を有する。また、原稿の反転を排紙トレイ上で行うため、ユーザーは反転のために排紙トレイ上に排出される原稿を、処理が終了して排出された原稿と見誤って反転中の原稿を取り出してしまうことがある。この場合には、原稿処理機は紙搬送不良により停止してしまう。また、両面画像を形成中の画像形成装置本体でも画像形成途中にもかかわらず停止しなければならず、装置全体の停止という問題を発生してしまう。
【０００６】
また、特開平８−１３３５５１号公報の技術においては、前記特開平７−１７５２７９号公報と同様に、両面原稿の反転を排紙トレイ上で行うため、同様の原稿処理機の紙搬送不良による停止、および画像形成装置全体の停止という問題を発生してしまう。更に、複数の反転処理部が必要であり、このような反転処理部の付設により、これら複数の反転ローラの駆動伝達機構とその制御機構が必要とされるため、装置の複雑化と大型化および複雑な制御機構が必要となってしまう。
【０００７】
本発明の目的は、以上に述べてきたような従来の両面原稿を取り扱う原稿供給装置の問題に鑑み、装置全体が簡単な機構で構成されて小型で、両面原稿を能率よく処理できる生産性の高い画像形成装置の原稿供給装置を得るにある。
【０００８】
【課題を解決するための手段】
すなわち、上記課題を解決するために、請求項１に係る原稿供給装置の特徴は、原稿を積載する給紙スタッカと、読み取り終了後の原稿を積載する排紙スタッカと、原稿読み取り位置を有する循環パスとを備えた画像形成装置の原稿供給装置において、前記給紙スタッカから前記循環パスに原稿を供給するための供給パスと、読み取り終了後の原稿を前記排紙スタッカに排出するための排出パスと、前記供給パスまたは前記給紙スタッカの下方に配置され原稿をスイッチバックして表裏反転するためのスイッチバックパスと、前記循環パスと前記スイッチバックパスとの接続部に設けられ、前記原稿読み取り位置を通過した原稿を前記循環パスに案内するための位置と前記スイッチバックパスに案内するための位置に選択的に移動する第１搬送方向切換手段と、前記循環パスと前記排出パスとの接続部に設けられ、前記スイッチバックパスでスイッチバックされた原稿を前記循環パスに案内するための位置と前記排出パスに案内するための位置に選択的に移動する第２搬送方向切換手段とを備えることにある。
【０００９】
また、請求項２に係る原稿供給装置の特徴は、原稿の片面のみを読み取る場合は、前記第１搬送方向切換手段は原稿を前記循環パスへ案内し、前記第２搬送方向切換手段は原稿を前記排出パスへ案内し、原稿の両面を読み取る場合は、前記第１搬送方向切換手段は原稿を前記スイッチバックパスへ案内し、前記第２搬送方向切換手段は片面読み取り終了後の原稿は前記循環パスへ案内して両面読み取り終了後の原稿は前記排出パスへ案内することにある。
【００１０】
また、請求項３に係る原稿供給装置の特徴は、前記循環パスは、前記供給パスとの接続部から前記排出パスとの接続部までの第１搬送路と、前記排出パスとの接続部から前記供給パスとの接続部までの第２搬送路とから構成されたことにある。
【００１１】
また、請求項４に係る原稿供給装置の特徴は、前記給紙スタッカ、前記排紙スタッカ、および前記スイッチバックパスは前記読み取り位置に対して同じ側に配置されていることにある。
【００１２】
また、請求項５に係る原稿供給装置の特徴は、上から前記給紙スタッカ、前記排紙スタッカ、前記スイッチバックパスの順に積層状に配置されていることにある。
【００１３】
また、請求項６に係る原稿供給装置の特徴は、前記スイッチバックパスは前記排紙スタッカの下方の空間に設けられていることにある。
【００１４】
また、請求項７に係る原稿供給装置の特徴は、前記スイッチバックパスには正逆転可能な可逆転ローラが設けられ、該可逆転ローラの回転方向の切り換えにより原稿をスイッチバックさせることにある。
【００１５】
また、請求項８に係る原稿供給装置の特徴は、前記可逆転ローラは一対のローラが離間可能に構成され、原稿が前記循環パスとスイッチバックパスとにまたがる時に離間することにある。
【００１６】
また、請求項９に係る原稿供給装置の特徴は、前記排出パスには一方向にのみ回転可能な排出ローラが設けられていることにある。
【００１７】
また、請求項１０に係る原稿供給装置の特徴は、前記循環パスは一つのフィードローラの外周面に沿って形成されていることにある。
【００１８】
また、請求項１１に係る原稿供給装置の特徴は、原稿を積載する給紙スタッカと、読み取り終了後の原稿を積載する排紙スタッカと、原稿読み取り位置を有する循環パスとを備えた画像形成装置の原稿供給装置において、前記給紙スタッカから前記循環パスに原稿を供給するための供給パスと、前記供給パスまたは前記給紙スタッカの下方に配置され、表面読み取り後の両面原稿および表裏面読み取り後の両面原稿をスイッチバックして表裏反転するためのスイッチバックパスと、前記原稿読み取り位置を通過後に前記排紙スタッカに向かう片面原稿が通り、かつ、表裏面読み取り後のスイッチバック後に前記原稿読み取り位置を経由することなく前記排紙スタッカに向かう両面原稿が通る排出パスとを備えることにあり、
また、請求項１２では、前記排出パスが、前記循環パスに接続され、前記原稿読み取り位置を通過した表面読み取り後の片面原稿と、スイッチバックされた表裏面読み取り後の両面原稿を前記循環パスとの接続部から前記排紙スタッカに案内することを特徴とする。
さらに請求項１３に係る画像形成装置の特徴は、原稿を積載する給紙スタッカと、読み取り終了後の原稿を積載する排紙スタッカと、原稿の画像を読み取る原稿読み取り手段と、該原稿読み取り手段を経由して原稿を案内するための循環パスと、前記給紙スタッカから前記循環パスへ両面原稿を供給するための供給パスと、読み取り終了後の原稿を前記排紙スタッカへ排出するための排出パスと、前記供給パスまたは前記給紙スタッカの下方に配置され原稿をスイッチバックして表裏反転するためのスイッチバックパスと、前記循環パスと前記スイッチバックパスとの接続部に設けられ、前記読み取り手段を通過した原稿を前記循環パスに案内するための位置と前記スイッチバックパスに案内するための位置に選択的に移動する第１搬送方向切換手段と、前記循環パスと前記排出パスとの接続部に設けられ、前記スイッチバックパスでスイッチバックされた原稿を前記循環パスに案内するための位置と前記排出パスに案内するための位置に選択的に移動する第２搬送方向切換手段とを備えることにある。
【００１９】
【発明の実施の形態】
以下、本発明の実施例の詳細を図面に基づいて説明する。図示実施例は画像形成装置の一つである電子写真複写機に施された例であり、該電子写真複写機の機体１の上部には原稿台ガラス、即ちプラテン２が配置され、該プラテン２の一側には図示を省略するＣＣＤ素子による原稿読み取り部Ｘが設けられる。
【００２０】
前記プラテン２上には本発明による原稿供給装置の装置ハウジング３が位置されるが、該装置ハウジング３には前記プラテン２の上方に位置される給紙スタッカ４が設けられ、該給紙スタッカ４上には複数枚の原稿Ｇを堆積状態に積載することができる。
【００２１】
そして、前記原稿読み取り部Ｘに臨んでは大径のフィードローラ５の外周面５ａに循環パスａが形成される。該循環パスａは、供給パスｂとの接続部から排出パスｃとの接続部に原稿Ｇを搬送する第１搬送経路ａ１と排出パスｃとの接続部から供給パスｂとの接続部に両面原稿を循環搬送する第２搬送路ａ２とから構成されている。原稿Ｇか片面原稿である場合、該循環パスの第１搬送路ａ１に対しては原稿Ｇを一枚ずつ搬送する供給パスｂを介して前記給紙スタッカ４から原稿Ｇが供給され、前記第１搬送路ａ１に沿って設けられた原稿読み取り部Ｘにて画像の読み取り処理が終了した原稿Ｇは、排出ローラ６を備えてなる排出パスｃを通って前記給紙スタッカ４の下方で実質的に直下に位置される排紙スタッカ７に排紙され積載されることになる。
【００２２】
また、原稿Ｇが両面原稿である場合、片面原稿の場合と同様の方法で、表面の読み取り処理がなされた両面原稿Ｇは排出パスｃの下方に設けられたスイッチバックパスｄに搬送され、該スイッチバックパスｄにてスイッチバックされた後に、再び、循環パスａへ搬送され、第２搬送路ａ２を経由して第１搬送路ａ１に送られ、前記原稿読み取り部Ｘにて両面の画像の読み取り処理がなされる。
【００２３】
これらの画像の読み取り処理を行うため、前記循環パスａの前記第１搬送路ａ１と前記スイッチバックパスｄとの接続部には第１搬送方向切換手段８が配置され、前記スイッチバックパスｄ又は循環パスａへ原稿Ｇの搬送方向を切り換える。また、前記循環パスａの前記第２搬送路ａ２と排出パスｃとの接続部には第２搬送方向切換手段９が配置され、前記排出パスｃ又は循環パスａへ原稿Ｇの搬送方向を切り換える。つまり、図１に示すように、前記第１搬送方向切換手段８が実線示の切り換え位置にあるとき、循環パスａの第１搬送路ａ１の方向に沿って搬送せしめ、２点鎖線示の位置にあるとき、循環パスａの第１搬送路ａ１で搬送される原稿Ｇを、前記スイッチバックパスｄに付設された空間２４でスイッチバックするために前記スイッチバックパスｄに設けられた可逆転ローラ１０の方向へ誘導する。
【００２４】
実線示の切り換え位置にある前記第２搬送方向切換手段９は、排出パスｃの入口を締め切って、スイッチバックパスｄから循環パスａに沿って搬送されてくる原稿Ｇを、循環パスａの第２搬送路ａ２の方向に指向させ、フィードローラ５の外周面５ａに沿った第２排出の搬送路ａ２にて循環するように誘導し、また、２点鎖線示の位置にあるとき、循環パスａの第１搬送路ａ１に沿って搬送されくる片面原稿Ｇ、又はスイッチバックパスｄから循環パスａに沿って搬送されてくる両面の読み取り処理を終了した両面原稿Ｇを、排出パスｃの方向に指向させ、排紙スタッカ７に排出させる。
【００２５】
図２について、前述した供給パスｂ、第１搬送路ａ１と第２搬送路ａ２からなる循環パスａ、スイッチバックパスｄ、及び排出パスｃの機構部の詳細を説明すると、供給パスｂの入口にはキックローラ１１、供給ローラ１２、及び分離部材１３で構成された繰り出し機構が配置され、該繰り出し機構の作動により原稿Ｇの表面を上向きにした状態で前記給紙スタッカ４上に堆積状態で積載された原稿Ｇが最上位のものから順に一枚ずつ供給パスｂに送り出される。
【００２６】
また、前記供給パスｂには、原稿Ｇの送り方向に隣り合った第１レジストローラ１４及び第２レジストローラ１５が配置され、これらの第１レジストローラ１４及び第２レジストローラ１５の回転運動により原稿Ｇが前記循環パスａの第１搬送路ａ１に向かって送られることになる。前記供給ローラ１２及び第１レジストローラ１４は、駆動モータＭ１により一方向の回転運動のみを伝えるワンウェイ・クラッチＯＷを介して一方向のみに回転駆動される。
【００２７】
前記循環パスａのフィードローラ５は矢印方向に回転駆動されるもので、該フィードローラ５の外周面５ａには２個の転接ローラ１６，１７が転接されて原稿Ｇは該外周面５ａに密着した状態で原稿読み取り部Ｘに向かって送られるが、該原稿読み取り部Ｘでは、押圧部材１８により原稿Ｇの表面がプラテン２の表面に密着状態におかれることになる。
【００２８】
図３に示すように、前記スイッチバックパスｄには正逆転可能な可逆転ローラ１０が配置されるけれども、該可逆転ローラ１０の周囲には圧接バネ１９で押圧された従動ローラ２０が転接される。即ち、電磁ソレノイドＳＯＬの励磁により前記可逆転ローラ１０から離間される前記従動ローラ２０の転接・離間、及び前記可逆転ローラ１０の正逆転によりスイッチバックパスｄに搬送される両面の原稿Ｇの搬送タイミングが制御されることになる。
【００２９】
また、前記可逆転ローラ１０は図２に示す正逆転モータＭ２により駆動されるけれども、該正逆転モータＭ２は動力の伝達タイミングを制御するクラッチＣＬ２及び一方向の回転運動のみを伝えるワンウエイ・クラッチＯＷを介して前記フィードローラ５及び排出ローラ６をも駆動する。
【００３０】
なお、前記供給パスｂ、第１搬送路ａ１と第２搬送路ａ２からなる循環パスａ、スイッチバックパスｄ、及び排出パスｃには、図２に示す原稿検知センサＳ１〜Ｓ６が配置され、これらの原稿検知センサＳ１〜Ｓ６により原稿Ｇの先端および後端が検知されることになる。
【００３１】
前述したプラテン２の表面に手作業で位置される原稿Ｇは、圧板２５でプラテン２の表面に密着状態に置かれるが、該圧板２５を構成するために、前記原稿供給装置のハウジング３の底面を構成する硬質樹脂製の支持板２１の下面に、弾性変形可能な厚みのある多孔質層２２が積層され、該多孔質層２２を柔軟な表面レイヤー２３で覆っている。従って、スイッチバックパスｄ中に搬送された両面の原稿Ｇの先端ｇ１は給紙スタッカ４や給紙パスｂの下方で循環パスａに対して同じ側に配置された、より具体的には前記排紙スタッカ７と支持板２１とにより囲まれた空間２４中に導入され、摩擦係数の小さな排紙スタッカ７の底面７ａと支持板２１の上面２１ａで案内されることになるため、原稿Ｇの折り曲がりを生じることなく、スイッチバックできる。
【００３２】
図示実施例による画像形成装置の原稿供給装置は、以上のような構成であるから、給紙スタッカ４から供給された原稿Ｇは、片面原稿である場合、図４（ａ）に示すような状態でスイッチバックパスｄから排出パスｃを経て排紙スタッカ７上に排紙され、また、両面原稿である場合、図４（ｂ）に示すような状態で排紙スタッカ７に排紙されたことになる。
【００３３】
まず、片面原稿の読み取り処理の場合は、原稿Ｇの表面を上に向けて給紙スタッカ４上に堆積状態に積載された原稿Ｇは、循環パスａの第１搬送路ａ１で搬送される間に原稿Ｇの表面を下に向けた状態になるから、第１搬送路ａ１から直接に排出パスｃを経て排紙スタッカ７上に排紙されることになる。即ち、表面にのみ画像を有するページ順序をもつ原稿Ｇの読み取り処理の場合、読み取り処理された原稿Ｇは、原稿Ｇの表面を下に向けた状態として順に排紙スタッカ７上に積載されるため、これらの読み取り処理済みの原稿Ｇを排紙スタッカ７からそのままの状態で取り出しても、再度原稿Ｇのページ順序を整理する必要はなくなる。
【００３４】
また、読み取り処理すべき原稿Ｇが両面原稿である場合には、両面原稿を片面原稿と同様に表面を上に向けて給紙スタッカ４上に堆積状態に積載されるが、両面原稿の表面の読み取り処理を終了した原稿Ｇは、図４（ｂ）に示すように、一旦、先端ｇ１からスイッチバックパスｄに搬送され、該スイッチバックパスｄに付設された空間２４でスイッチバックパスされた後に後端ｇ２から循環パスａの第２搬送路ａ２にて循環搬送され、原稿読み取り部Ｘで裏面の読み取り処理が行われる。
【００３５】
この後、前記両面原稿Ｇは後端ｇ２から再度スイッチバックパスｄに搬送され、該スイッチバックパスｄに付設された空間２４でスイッチバックされた後に先端ｇ１から第１搬送路ａ１へ搬送され、排出パスｃを経て排紙される。従って、両面原稿の場合も、読み取り処理を終了した原稿Ｇは、原稿Ｇの表面を下に向けた状態として順に排紙スタッカ７上に積載されることになるため、これらの読み取り処理済みの両面原稿を排紙スタッカ７からそのままの状態で取り出しても、再度原稿ページ順序の整理の必要はなくなる。
【００３６】
次に、図５のタイムシーケンスを用いて両面原稿の読み取り処理の詳細を説明すると、オペレータにより両面処理モードが選択された場合、第１搬送方向切換手段８は２点鎖線示の位置に、第２搬送方向切換手段９は実線示の位置にそれぞれ切り換えられる。
【００３７】
この後、給紙スタッカ４上に位置された原稿Ｇがキックローラ１１及び給紙ローラの駆動により給紙部パスｂに一枚ずつ給紙されるが、原稿検知センサＳ１で原稿Ｇの先端ｇ１が検出されると、一定時間の後、キックローラ１１及び給紙ローラが回転を停止し、第１レジストローラ１４が回転を始めて原稿Ｇが循環パスａの第１搬送路ａ１に向かって送られる。次にタイマのセットによる一定時間の経過後、フィードローラ５、可逆転ローラ１０、排紙ローラ６が回転を始めて循環パスａ、スイッチバックパスｄ、排出パスｃに残存する原稿Ｇの排出が促されるけれども、原稿検知センサーＳ５により原稿Ｇの先端ｇ１が検出された時点で、フィードローラ５、可逆転ローラ１０、排紙ローラ６の回転が一時的に停止され、これらの再度の駆動により原稿Ｇの表面が原稿読み取り部Ｘで副走査方向に搬送されながら読み取られる。
【００３８】
そして、原稿Ｇの表面の読み取り処理が終了し、原稿検知センサＳ５により原稿Ｇの後端ｇ２が検出されると、この検出から一定時間後に、フィードローラ５、可逆転ローラ１０、排紙ローラ６が停止され、原稿検知センサＳ３で原稿Ｇの後端ｇ２が検出される。次に、原稿検知センサＳ３の信号で、可逆転ローラ１０の逆転駆動により原稿Ｇの後端ｇ２から循環パスａの第２搬送路ａ２に向かってスイッチバックされる。この場合、原稿Ｇの後端ｇ２は、停止しているフィードローラ５の外周面５ａ及び第２搬送方向切換手段９により誘導されて循環パスａの第２搬送路ａ２に搬送されるが、原稿Ｇの後端ｇ２が第２レジストローラ１５の手前の原稿検知センサＳ６で検知されると、可逆転ローラ１０が停止されると同時に、電磁ソレノイドＳＯＬが励磁されて従動ローラ２０が可逆転ローラ１０から強制的に離間されるため、原稿Ｇに対する可逆転ローラ１０の駆動力はなくなる。
【００３９】
次に、原稿検知センサＳ６の検知によりフィードローラ５が回転を開始するけれども、原稿Ｇの後端ｇ２が原稿検知センサＳ５で検知されると、該原稿検知センサＳ５の信号で、フィードローラ５、可逆転ローラ１０、排紙ローラ６の回転が一時的に停止されると共に、第１搬送方向切換手段８及び第２搬送方向切換手段９が２点鎖線示の位置にそれぞれ切り換えられる。
【００４０】
続いて、フィードローラ５及び排紙ローラ６が駆動されると同時に、可逆転ローラ１０が空間２４の方向に原稿Ｇを搬送する正転を開始するので、裏面を下向きにした原稿Ｇが原稿読み取り部Ｘに搬送されて裏面も読み取り処理が行われ、原稿Ｇの後端ｇ２がスイッチバックパスｄに取り込まれるが、この原稿Ｇの後端ｇ２の取り込み中、図３のように、従動ローラ２０が可逆転ローラ１０から離間されているため、原稿Ｇの先端ｇ１側がスイッチバックパスｄ中に残っていても、障害なく原稿Ｇの後端ｇ２はスイッチバックパスｄ中に取り込まれることとなる。
【００４１】
また、原稿Ｇの裏面の読み取りが終了し、原稿検知センサＳ３で原稿Ｇの先端ｇ１が検知されると、可逆転ローラ１０が逆転すると共に第２搬送方向切換手段９が２点鎖線示の位置に切り換えられ、原稿Ｇの先端ｇ１は、停止しているフィードローラ５の外周面５ａの第１搬送路ａ１により案内されて、第２搬送方向切換手段９により排出パスｃに向かい、排出ローラ６の回転駆動により排紙スタッカ７上に排出され、原稿Ｇの後端ｇ２が原稿検知センサＳ４で検出された信号の一定時間後に排出ローラ６が停止することになる。
【００４２】
【発明の効果】
以上の説明から明らかなように、本発明によれば、両面の読み取りを終了した原稿を原稿読み取り部より下流、且つ排出パスより上流において反転されて排紙トレイに排紙され、従来のように原稿読み取りを行わないにも拘らず循環せしめる必要がないため、搬送距離を短くでき、且つ直ちに次の原稿を原稿読み取り部へ搬送して読み取りができるため、両面原稿の読み取り時間を短縮でき、画像形成の生産性を高くすることができる。更に、３回の原稿読み取り部の通過が必要でなく２回でよいため、原稿に与えるダメージを軽減できると共に、原稿読み取り部の汚染を軽減でき、読み取り画像の不良の発生や頻繁な清掃を必要としない。また、原稿の反転を排紙トレイ上でない専用のスイッチバックパスと空間にて行い、反転のために排紙トレイ上に原稿を排出することがないため、ユーザーが、処理が終了して排出された原稿と見誤って反転中の原稿を取り出してしまうことがなく、原稿供給装置の紙搬送不良による停止や両面画像を形成中の画像形成装置本体での画像形成途中の停止がなく、装置全体の停止というトラブルを発生しない。
【００４３】
また、給紙スタッカ、排紙スタッカ、およびスイッチバックパスを読み取り位置に対して同じ側に配置すると、原稿供給装置の投影面積を比較的小さくできるための装置小型化が可能となる。
【００４４】
また、上から順に給紙スタッカ、排紙スタッカ、スイッチバックパスと積層状に配置すると、給紙スタッカからスイッチバックパスへ流下する原稿と、スイッチバックパスから排紙スタッカへ流下する原稿とが交差することがなくなるため、原稿の流れがスムーズになり両面原稿に対する生産性が向上する。
【００４５】
またスイッチバックパスを排紙スタッカの下方の空間に設けると、原稿供給装置内の空間を有効に利用することになり、強いては装置の小型化に繋がる。
【００４６】
またスイッチバックパスに正逆転可能な可逆転ローラを設けることにより、原稿のスイッチバックが安定して確実になされる。
【００４７】
また一対のローラから構成される可逆転ローラを離間可能とすることにより、原稿の裏面読み取りのためにスイッチバックパスから原稿を循環パスに送り出し、その後端がまだ可逆転ローラ対を抜けきらないうちに、その先端が可逆転ローラ対の位置まで到達してもジャム等を生じることがないため、必要以上に循環パスを長くとる必要がなくなり、小型の装置で高い給送信頼性を得られる。
【００４８】
また、排紙パスには一方向にのみ回転可能な排出ローラを設ければよく、そうすることによって装置の機構および制御が簡略化される。
【００４９】
さらに、一つのフィードローラの外周面に沿って循環パスを形成すると、同じ外周面で両面原稿の先端及び後端を効果的に誘導できるため、構造的にも簡単でジャム等の障害が生じ難い構造になる。
【図面の簡単な説明】
【図１】一部を省略して示す本説明による原稿供給装置の全体断面図である。
【図２】同原稿供給装置の一部拡大断面図である。
【図３】同原稿供給装置のスイッチバックローラ廻りの拡大図である。
【図４】（ａ），（ｂ）は原稿の捕集状態の模式的説明図である。
【図５】同原稿供給装置のタイムシーケンス線図である。
【符号の説明】
Ｇ  原稿
Ｘ  原稿読み取り部
ａ  循環パス
ｂ  供給パス
ｃ  排出パス
ｄ  スイッチバックパス
２  プラテン
４  給紙スタッカ
５  フィードローラ
５ａ  外周面
６  排出ローラ
７  排紙スタッカ
８  第１搬送方向切換手段
９  第２搬送方向切換手段
１０  可逆転ローラ
１４  第１レジストローラ
１５  第２レジストローラ
２１  支持板
【図１】
0003678879.tif 000002
【図２】
0003678879.tif 000003
【図３】
0003678879.tif 000004
【図４】
0003678879.tif 000005
【図５】
0003678879.tif 000006